(57)【特許請求の範囲】
【請求項１】
円筒状のキャップ本体の尾端部内において、クリップの基端側に形成された円盤状の取付部が保持部材とキャップ本体の尾端部に取り付けられる頭冠により挟圧保持され、クリップ先端の玉部がキャップ本体の外周面に接触ないし近接した筆記具用キャップにおいて、
前記キャップ本体は、外径が最小である基準キャップの外径よりも大径であり、該基準キャップ本体に使用されるクリップの取付部の軸線が該キャップ本体の軸線と相互に偏心した状態で保持されたことを特徴とする筆記具用キャップ。
【請求項２】
前記保持部材の上面に該クリップの取付部が嵌め込まれる位置決め部が形成されたことを特徴とする請求項１記載の筆記具用キャップ。
【発明の詳細な説明】
【０００１】
【発明の属する技術分野】
本発明は、クリップを備えた筆記具用キャップに関し、更にはキャップ本体の外径が異なってもクリップの部品共通化が可能な筆記具用キャップに関するものである。
【０００２】
【従来の技術】
筆記具を洋服のポケットなどに装着した場合に、筆記具を洋服などに固定するために、キャップにクリップが装備されることが多いが、高級な筆記具ほど、クリップにあらゆる方向の力が加わっても「ガタツキ」がないようにしっかりとキャップ本体に固定する必要がある。
そこで高級な筆記具においては、クリップの尾端側にクリップ本体と直交する連結部を介してボルト挿通部を有する円盤状の取付部を形成し、円筒状のキャップ本体の尾端部において、この取付部を保持部材とキャップ本体の尾端部に取り付けられる頭冠により挟圧保持することが多い。このとき、円盤状の取付部の外径をキャップ本体の内周面の内径と等しくしてクリップの取付部をキャップ本体の内周面に内接させ、つまり、クリップの取付部とキャップ本体の軸線を一致させ、かつ保持部材と頭冠をボルトにより締め付けると、固定構造はやや複雑ではあるが、クリップにあらゆる方向の力が加わっても「ガタツキ」がないようにしっかりと固定することができる。
【０００３】
また、筆記具は筆記機能のみでなく、外観デザインも重要視される商品であり、外観デザインは同じであるが、例えば軸筒を細くした細身のボールペンと軸筒を太くした太身の万年筆をセットにして販売することがある。この場合、当然、両者のクリップの外観デザインも同一に設計される。
【０００４】
【発明が解決しようとする課題】
前述のとおり、クリップをしっかりと固定するために、クリップの円盤状の取付部をキャップ本体の内周面に内接させてキャップ本体の軸線とクリップの取付部の軸線を一致させた状態で固定するが、細身のボールペンと太身の万年筆の場合のように、軸筒の外径が異なるのでキャップ本体の外径も異なるが、外径が異なるキャップ本体の場合は一般的にキャップ本体の内径も異なるので、クリップの取付部はキャップ本体の内径に応じた大きさにする必要がある。従って、クリップは、外観デザインが同一であっても、キャップ本体の外径が異なるとそれに対応するクリップを準備する必要があり、クリップの部品共通化が不可能で、生産コストが高くなる不具合があった。
【０００５】
そこで本発明は、キャップ本体の外径が異なってもクリップの部品共通化が可能であり、生産コストを低減できる筆記具用キャップを提供することを目的とするものである。
【０００６】
【課題を解決するための手段】
かかる目的を達成するために、請求項１の発明は、円筒状のキャップ本体の尾端部内において、クリップの基端側に形成された円盤状の取付部が保持部材とキャップ本体の尾端部に取り付けられる頭冠により挟圧保持され、クリップ先端の玉部がキャップ本体の外周面に接触ないし近接した筆記具用キャップにおいて、キャップ本体は、外径が最小である基準キャップの外径よりも大径であり、この基準キャップ本体に使用されるクリップの取付部の軸線がキャップ本体の軸線と相互に偏心した状態で保持する。
【０００７】
また、キャップ本体の外径が基準キャップ本体よりも大きくてクリップの取付部の軸線がキャップ本体の軸線と相互に偏心した状態で保持するので、請求項２の発明のように、保持部材の上面にクリップの取付部が嵌め込まれる位置決め部を形成するのがよい。
【０００８】
【発明の実施の形態】
以下に、図面に基づいて本発明の実施の形態を具体的に説明する。図１は、キャップ本体の外径が最小である基準キャップ本体の場合の平面図および一部断面図を示す。なお、図１においては基準キャップ本体の尾端開口を覆うように配置される頭冠の図示を省略してある。図１において、基準キャップ本体１Ａは、例えば細身のボールペン用のものであるが、合成樹脂にて筒状に成形されたものであり、尾端側の内周面には段部１１が形成されている。
【０００９】
クリップ２は、金属板を折曲して成形されたものであり、クリップ本体２１の内面先端部には玉部２２が形成されている。そして、玉部２２は基準キャップ本体１Ａの外周面に接触している。クリップ２の基端側にはクリップ本体２１と直交する連結部２３を介して円盤状の取付部２４が一体に形成されている。また、取付部２４には大径のボルト挿通部２５が形成されている。基準キャップ本体１Ａ内に配置される取付部２４の外径は基準キャップ本体１Ａの尾端側の内周面の内径に等しく、取付部２４は基準キャップ本体１Ａの尾端側の内周面に内接している。従って、基準キャップ本体１Ａとクリップ２の取付部２４の軸線は一致している。
【００１０】
保持部材３の外径は基準キャップ本体１Ａの尾端側内周面の内径に等しく、下端部に段状の係止部３３が形成されている。また、保持部材３の中心にはボルト挿通孔３２が形成されている。かかる保持部材３が基準キャップ本体１Ａの尾端側内部に内接した状態で配置され、係止部３３が基準キャップ本体１Ａの段部１１に係合している。そして、保持部材３の上面にクリップ２の取付部２４が載置されている。
【００１１】
基準キャップ本体１Ａの尾端開口を覆うように図示略の頭冠が配置されるが、保持部材３のボルト挿通孔３２および取付部２４のボルト挿通部２５にボルト４を挿通し、頭冠のねじ部にボルト４を螺着することにより、取付部２４を保持部材３と頭冠により挟圧保持する。このように、取付部２４が基準キャップ本体１Ａの尾端側の内周面に内接し、かつ取付部２４が保持部材３と頭冠により挟圧保持されているので、クリップ２にどのような方向の力か加わっても「ガタツキ」がなくてしっかりと固定される。
【００１２】
次に図２は、本発明の実施例の平面図および一部断面図を示す。図２において、キャップ本体１Ｂは、例えば太身の万年筆用であるが、外観形状が基準キャップ本体１Ａと相似形であって、その外径が基準キャップ本体１Ａよりも大きな筒状に合成樹脂にて成形されたものであり、尾端側の内周面には段部１１が形成されていることは基準キャップ本体１Ａと同じである。
【００１３】
図２におけるクリップ２は、図１におけるクリップ２と形状、寸法が全く同一のものであり、クリップ本体２１の内面先端部に形成された玉部２２はキャップ本体１Ｂの外周面に接触している。従って、図２（Ａ）に示すように、キャップ本体１Ｂの軸線とクリップ２の取付部２４の軸線は偏心している。
【００１４】
保持部材３は、その内径がキャップ本体１Ｂの尾端部の内径に等しく、その構成は図２に示す保持部材３と基本的には同じであるが、その上面には、図３に示すように、位置決め部３１が形成されている点で異なる。ここで、位置決め部３１の周壁３１ａの曲率半径はクリップ２の取付部２４の曲率半径と等しく、取付部２４は位置決め部３１に嵌め込まれている。そして、図２においても、キャップ本体１Ｂの尾端開口を覆うように図示略の頭冠が配置されるが、保持部材３のボルト挿通孔３２および取付部２４のボルト挿通部２５にボルト４を挿通し、頭冠のねじ部にボルト４を螺着することにより、取付部２４を保持部材３と頭冠により挟圧保持する。
【００１５】
このように、取付部２４が保持部材３の位置決め部３１に嵌め込まれ、かつ取付部２４が保持部材３と頭冠により挟圧保持されているので、外径の小さな基準キャップ本体１Ａにおいて使用したクリップ２と同一のクリップ２にどのような方向の力か加わっても、「ガタツキ」がなくてしっかりと固定される。すなわち、キャップ本体の外径が異なるにもかかわらず、同一のクリップを使用することかでき、部品共通化が可能になる。
【００１６】
【発明の効果】
以上説明したように、本発明は、円筒状のキャップ本体の尾端部内において、クリップの基端側に形成された円盤状の取付部が保持部材とキャップ本体の尾端部に取り付けられる頭冠により挟圧保持され、クリップ先端の玉部がキャップ本体の外周面に接触ないし近接した筆記具用キャップにおいて、外径が基準キャップ本体よりも大きなキャップ本体の場合は、この基準キャップ本体に使用されたクリップと同一のクリップの取付部の軸線がキャップ本体の軸線と相互に偏心した状態で保持するので、キャップ本体の外径が異なってもクリップの部品共通化が可能であり、生産コストを低減できる筆記具用キャップとすることができる。
【図面の簡単な説明】
【図１】  基準キャップ本体を使用した場合の平面図および一部縦断面図である。
【図２】  本発明の実施例の平面図および一部縦断面図である。
【図３】  本発明の実施例における保持部材の平面図および縦断面図である。
【符号の説明】
１Ａ    基準キャップ本体
１Ｂ    基準キャップ本体より大径のキャップ本体
１１    段部
２    クリップ
２１    クリップ本体
２２    玉部
２３    連結部
２４    取付部
２５    ボルト挿通部
３    保持部材
３１    位置決め部
３２    ボルト挿通孔
３３    係止部
４    ボルト
【図１】
0003701883.tif 000002
【図２】
0003701883.tif 000003
【図３】
0003701883.tif 000004